(57)【要約】【課題】  ランプの小型・軽量・高照度化を意図してハロゲンランプを用いることが出来るようにすることである。更には、ハロゲンランプを用いた場合における熱損傷を受け難く、耐久性に富むものとすることである。かつ、低廉なコストで提供することである。【解決手段】    光源本体と、前記光源本体をソケットに配設するに際して用いられるアダプタとを具備してなる照明装置であって、  前記光源本体は、ハロゲンランプ本体であり、  前記アダプタは、    樹脂製のものであって、    前記ソケットに配設できる形状に構成されると共に、    前記ハロゲンランプ本体が挿入・配設できる形状に構成されてなり、    更に、開口窓が構成されてなる。【選択図】    図３
2007134157.tif 000002
【特許請求の範囲】
【請求項１】
照明装置であって、
前記照明装置は、
光源本体と、
前記光源本体をソケットに配設するに際して用いられるアダプタ
とを具備してなり、
前記光源本体は、ハロゲンランプ本体であり、
前記アダプタは、
樹脂製のものであって、
前記ソケットに配設できる形状に構成されると共に、
前記ハロゲンランプ本体が挿入・配設できる形状に構成されてなり、
更に、開口窓が構成されてなる
ことを特徴とする照明装置。
【請求項２】
アダプタがソケットに配設された状態における該アダプタの開口窓の少なくとも一部が該ソケットから露出した位置に在るよう構成されてなることを特徴とする請求項１の照明装置。
【請求項３】
アダプタは、ハロゲンランプ本体が挿入・配設される挿入部が構成されてなり、前記挿入部と開口窓とが連通構成されてなることを特徴とする請求項１又は請求項２の照明装置。
【請求項４】
アダプタにはハロゲンランプ本体のフィラメントに繋がるリード線の挿通孔が構成されていて、該ハロゲンランプ本体からのリード線が該リード線挿通孔に挿通され、かつ、該リード線の一部が折曲されていて、該ハロゲンランプ本体が該アダプタから抜き取れないよう構成されてなる
ことを特徴とする請求項１〜請求項３いずれかの照明装置。
【請求項５】
アダプタをソケットに配設した際、該アダプタを該ソケットから脱落し難いものとする掛止手段が構成されており、
前記掛止手段は、アダプタ側に構成された凸部と、該凸部が掛止するソケット側に構成された凹部とを具備し、
前記凸部は、ハロゲンランプ本体からのリード線が折曲された場合、折曲方向が正しい場合には、該リード線上には存在せず、折曲方向が間違っている場合には、該リード線上に存在するよう構成されてなる
ことを特徴とする請求項１〜請求項４いずれかの照明装置。
【請求項６】
照明装置は自動車のバック動作用の照明装置であることを特徴とする請求項１〜請求項５いずれかの照明装置。
【発明の詳細な説明】
【技術分野】
【０００１】
本発明は照明装置、特に自動車用照明装置、中でも、自動車バック動作用の照明装置に関する。
【背景技術】
【０００２】
例えば、自動車の照明装置、特にバック動作用の照明装置として各種の照明装置が提案されている。この種の照明装置は、自動車用と言うこともあって、小型・軽量化が進められている。しかしながら、小型・軽量化と照度とは、一般的に言って、比例関係にある。例えば、照明装置が小さくなると、この照明装置によって照らされる明るさは低下する。従って、小型・軽量化にも限界が有る。
【０００３】
さて、ランプにも各種のランプがある。例えば、ハロゲンランプも良く知られている。このハロゲンランプは、白熱電球の一種であるものの、ハロゲンランプのガラス球内には不活性ガスに加えて微量のハロゲン族元素（Ｉ、Ｂｒ、ＣＩ、Ｆ）のガスが封入されている。そして、ハロゲンランプは、ハロゲンサイクルによって、一般電球の約２倍の長寿命を持っている。しかも、蒸発したタングステンがバルブの管壁に付着しない為、バルブの黒化のよる光束減衰もなくなり、最後まで明るい光であると言う特長を持っている。すなわち、電流が流れてＷ製フィラメントが高温になると、Ｗ製フィラメントからタングステン原子が蒸発し、封入されているハロゲンガスのハロゲン原子と結合し、ハロゲン化タングステンを構成する。この分子は、バルブ内を浮遊し、高温のフィラメント付近でハロゲン原子とタングステン原子に分離する。そして、タングステン原子は、再び、フィラメントに戻り、遊離したハロゲン原子は以前の反応を繰り返す。この一連の反応が「ハロゲンサイクル」であって、これによりバルブ壁の黒化が抑制され、フィラメントの消耗が防止される特長を備えている。又、ハロゲンランプは、同じ１００Ｗの白熱電球と比較すると、容積比は約１／２００で、非常にコンパクトである。
【０００４】
そこで、上記のような大きな特長を持っているハロゲンランプを自動車用照明装置として採用すれば、小型・軽量化が図られると共に長寿命であることから、万事上手く進むように思われた。
【０００５】
しかしながら、ハロゲンランプにも問題点が有ることが判って来た。それは、発熱量が大きいと言うことである。すなわち、白熱電球と比較すると、発熱量が大きいことが知られている。このことは、近年、ハロゲンランプが放射する光を熱として利用したハロゲンヒータが広く普及していることからも容易に類推できる。すなわち、単に、ハロゲンランプをソケットに差し込んだだけでは、ソケット側が損傷し易いと言う問題点が有る。しかも、自動車用のものにあっては、ソケットは自動車本体に固定されている訳であるから、ソケットが損傷すると、その修理・交換作業が大変である。単に、ランプ交換の如きの簡単な作業で済むものでは無い。
【０００６】
ところで、ハロゲンランプの管は、その特性から、石英ガラスの如きの硬質ガラスが採用されている。この為、微細な加工が非常に大変である。この加工が大変なと言うことが次のような問題点を引き起こす。現在の自動車の照明装置において、ランプはソケットに差し込まれている。しかしながら、単に、差し込まれていると言うのでは無く、脱落防止手段が講じられている。すなわち、走行時の自動車には各種の振動が作用することから、ランプがソケットから抜け取れないように脱落防止が施されている。この脱落防止は、例えば図９に示される如く、ランプ５０の管表面に形成された凸部５１によって達成されている。すなわち、前記ランプ表面（ガラス表面）に形成された凸部５１がソケット（図示せず）側に設けられた凹部に掛止し、この凹凸による掛止機構によってランプ５０の脱落防止が図られている。しかしながら、石英ガラスの如きの耐熱・硬質ガラスに凹凸を形成することは非常に大変である。従って、単に、ハロゲンランプを自動車用照明装置として用いることは大変である。
【発明の開示】
【発明が解決しようとする課題】
【０００７】
従って、本発明が解決しようとする課題は、上記の問題点を解決することである。
【０００８】
すなわち、ランプの小型・軽量・高照度化を意図してハロゲンランプを用いることが出来るようにすることである。更には、ハロゲンランプを用いた場合における熱損傷を受け難く、耐久性に富むものとすることである。かつ、低廉なコストで提供することである。
【課題を解決するための手段】
【０００９】
前記の課題は、照明装置であって、
前記照明装置は、
光源本体と、
前記光源本体をソケットに配設するに際して用いられるアダプタ
とを具備してなり、
前記光源本体は、ハロゲンランプ本体であり、
前記アダプタは、
樹脂製のものであって、
前記ソケットに配設できる形状に構成されると共に、
前記ハロゲンランプ本体が挿入・配設できる形状に構成されてなり、
更に、開口窓が構成されてなる
ことを特徴とする照明装置によって解決される。
【００１０】
又、上記の照明装置であって、アダプタがソケットに配設された状態における該アダプタの開口窓の少なくとも一部が該ソケットから露出した位置に在るよう構成されてなることを特徴とする照明装置によって解決される。
【００１１】
又、上記の照明装置であって、アダプタは、ハロゲンランプ本体が挿入・配設される挿入部が構成されてなり、前記挿入部と開口窓とが連通構成されてなることを特徴とする照明装置によって解決される。
【００１２】
又、上記の照明装置であって、ハロゲンランプ本体の外表面にはアダプタに挿入・配設した際の掛止部が構成されておらず、該ハロゲンランプ本体を該アダプタに挿入・配設した際に、該ハロゲンランプ本体の外面と該アダプタの内面との間に凹凸掛止が構成されないものの、
前記アダプタには前記ハロゲンランプ本体のフィラメントに繋がるリード線の挿通孔が構成されていて、該ハロゲンランプ本体からのリード線が該リード線挿通孔に挿通され、かつ、該リード線の一部が折曲されていて、該ハロゲンランプ本体が該アダプタから抜き取れないよう構成されてなる
ことを特徴とする照明装置によって解決される。
【００１３】
又、上記の照明装置であって、アダプタをソケットに配設した際、該アダプタを該ソケットから脱落し難いものとする掛止手段が構成されており、
前記掛止手段は、アダプタ側に構成された凸部と、該凸部が掛止するソケット側に構成された凹部とを具備し、
前記凸部は、ハロゲンランプ本体からのリード線が折曲された場合、折曲方向が正しい場合には、該リード線上には存在せず、折曲方向が間違っている場合には、該リード線上に存在するよう構成されてなる
ことを特徴とする照明装置によって解決される。
【００１４】
又、上記の照明装置であって、照明装置は自動車のバック動作用の照明装置であることを特徴とする照明装置によって解決される。
【発明の効果】
【００１５】
本発明にあっては、ハロゲンランプを用いたことから、小型・軽量であるにも拘らず、その照度は非常に高い特長が奏される。
【００１６】
又、アダプタを用いることから、ハロゲンランプ本体のガラスにソケットからの脱落防止用の凹凸を形成しなくとも済み、作業性が悪いガラス加工が無くなるだけでも、低廉なコストで提供できる。
【００１７】
そして、ガラスに比べたならば耐熱性が劣る樹脂によってアダプタを構成したものの、アダプタには開口窓を構成したので、ハロゲンランプからの熱が内部に籠り難くなり、即ち、放熱性が高まり、例えばソケット等が熱損傷を受け難く、耐久性が向上する。
【００１８】
特に、アダプタがソケットに配設された状態における該アダプタの開口窓の少なくとも一部が該ソケットから露出した位置に在るよう構成させていると、熱がソケット側の中に籠もり難く、ソケットが熱損傷を受け難いものとなる。例えば、アダプタが損傷を受けた場合と、ソケットが損傷を受けた場合とを比較すると、ソケットは装置本体に固定されているのに対して、電球（ハロゲンランプ本体やアダプタ）側は消耗品の考えから交換を前提にしていることから、アダプタ側、即ち、電球側を交換する方が何倍も容易である。従って、上記のように構成させておくことは非常に好ましい。
【００１９】
又、アダプタにハロゲンランプ本体が挿入・配設できるように挿入部を構成し、前記挿入部と開口窓とを連通構成させていると、放熱効果が一層高まり、好ましいものである。
【００２０】
ところで、ハロゲンランプ本体のガラス表面には、基本的に、凹凸を形成していない。すなわち、複雑なガラス加工がコストアップの要因になることから、ハロゲンランプ本体の外表面にはアダプタに挿入・配設した際の凹凸（掛止部）を形成せず、該ハロゲンランプ本体を該アダプタに挿入・配設した際に、該ハロゲンランプ本体の外面と該アダプタの内面との間に凹凸掛止が構成されないもののとしている。しかしながら、これでは、ハロゲンランプ本体が脱落する恐れが生じる。そこで、アダプタにはハロゲンランプ本体のフィラメントに繋がるリード線の挿通孔を構成し、該ハロゲンランプ本体からのリード線が該リード線挿通孔に挿通され、かつ、該リード線の一部が折曲されていて、該ハロゲンランプ本体が該アダプタから抜き取れないよう構成していることが好ましい。かつ、そのような構成は簡単であって、大きなコストアップの要因にはならない。
【００２１】
又、アダプタをソケットに配設した際、アダプタがソケットから脱落し難いものとする掛止手段が構成されていることが好ましい。すなわち、脱落防止手段を備えておくことが好ましい。特に、自動車の如き振動が作用する装置に採用される場合にあっては、脱落防止手段を備えておくことが好ましい。このような脱落防止手段は、凹凸による掛止手段が考えられる。しかしながら、単に、凹凸掛止手段を採用するだけでは無く、アダプタ側には凸部を、ソケット側には凹部を備えたものとすることが好ましい。すなわち、アダプタ側には凸部を設ける構成とした場合、該凸部は、ハロゲンランプ本体からのリード線が折曲された場合、折曲方向が正しい場合には、該リード線上には存在せず、折曲方向が間違っている場合には、該リード線上に存在するよう構成させることが出来るからである。そして、このように構成させた場合、前記凸部がリード線の折曲方向に対する指針となり、極めて好都合である。
【発明を実施するための最良の形態】
【００２２】
本発明になる照明装置（特に、自動車のバック動作時に際して、その後方部を照らす為の照明装置）は、光源本体と、前記光源本体をソケットに配設するに際して用いられるアダプタとを具備する。光源本体はハロゲンランプ本体である。アダプタは、樹脂製（特に、耐熱樹脂。例えば、フェノール樹脂）のものである。そして、アダプタの外形はソケットに配設できる形状に構成される。かつ、ハロゲンランプ本体が挿入・配設できる形状に構成されている。すなわち、ハロゲンランプ本体挿入部（挿入穴または孔）が形成されている。更に、アダプタには開口窓が構成されている。そして、ハロゲンランプ本体挿入部と開口窓とは連通構成されている。又、アダプタがソケットに配設された状態において、アダプタの開口窓の少なくとも一部がソケットから露出した位置に在るよう構成されている。又、アダプタにはハロゲンランプ本体のフィラメントに繋がるリード線の挿通孔が構成されていて、ハロゲンランプ本体からのリード線が前記リード線挿通孔に挿通され、かつ、リード線の一部が折曲されていて、ハロゲンランプ本体がアダプタから抜き取れないよう構成されている。又、アダプタをソケットに配設した際、アダプタをソケットから脱落し難いものとする掛止手段が構成されている。この掛止手段は、アダプタ側に構成された凸部と、該凸部が掛止するソケット側に構成された凹部とからなる。そして、前記凸部は、ハロゲンランプ本体からのリード線が折曲された場合、折曲方向が正しい場合には、該リード線上には存在せず、折曲方向が間違っている場合には、該リード線上に存在するよう構成されている。
以下、更に、詳しく説明する。
【００２３】
図１〜図８は本発明の一実施形態を説明する為のものであって、図１はハロゲンランプ本体の斜視図、図２はハロゲンランプ本体の側面図、図３はアダプタの斜視図、図４はアダプタの断面図、図５はアダプタの側面図、図６はハロゲンランプ本体をアダプタに取り付けた状態での斜視図、図７はウエッジベースランプ用ソケット（ソケット）の斜視図、図８は全体の斜視図である。
【００２４】
各図中、１はハロゲンランプ本体である。このハロゲンランプ本体１は、石英ガラスで所定形状に構成されたガラス管２の内部にタングステンフィラメント（図示せず）が設けられると共にハロゲンガスが封入されたものである。ガラス管２は、空間内部にタングステンフィラメントが設けられている略円筒状部２ａと、ガラス管部を押し潰した平坦な封止部２ｂとからなる。尚、従来のハロゲンランプ本体１におけるガラス管２の封止部２ｂは、従来にあっては、その表面に、ソケットからの脱落防止用の凸部が形成されていたものの、本実施形態のものにあっては、ソケットからの脱落防止用の凸部が無い。すなわち、図１，２からも判る通り、封止部２ｂの表面は殆ど平坦である。３ａ，３ｂは、タングステンフィラメントに繋がっているリード線である。
【００２５】
１１は、例えばフェノール樹脂などの絶縁性で耐熱性の樹脂を用いて成型されたアダプタである。このアダプタ１１には、ハロゲンランプ本体１のガラス管２の封止部２ｂを挿入・配設（嵌合）できる穴状の挿入部１２が形成されている。すなわち、アダプタ１１は、封止部２ｂの略外形と同じ内形を有する挿入部１２を有する。又、ハロゲンランプ本体１の封止部２ｂをアダプタ１１の挿入部１２に挿入した（差し込んだ）際、リード線３ａ，３ｂが挿入され、そしてアダプタ後端面から取り出されることになるリード線挿通用の孔１３ａ，１３ｂが形成されている。アダプタ１１の外形は、後述のソケット２１に設けられた差込部の略内形と同じ形に構成されている。すなわち、ソケット２１の凹部に掛止してアダプタ１１の脱落が防止される凸部１４ａ，１４ｂが形成されている。又、位置決用凸部１５ａ，１５ｂが形成されている。すなわち、図４，６からも判る通り、ハロゲンランプ本体１の封止部２ｂをアダプタ１１の挿入部１２に挿入した（差し込んだ）際、リード線３ａ，３ｂは孔１３ａ，１３ｂから導出されることになるので、リード線３ａ，３ｂが出て来た箇所で１８０°折り曲げる。すなわち、リード線３ａをアダプタ１１の表面側に沿って１８０°折り曲げる（折り返す）と、リード線３ａの先端部は位置決用凸部１５ａと外縁に沿って形成された立設壁１６ａとの間の凹部に位置させられ、位置決めされるようになる。又、リード線３ｂをアダプタ１１の裏面側に沿って１８０°折り曲げると、リード線３ｂの先端部は位置決用凸部１５ｂと外縁に沿って形成された立設壁１６ｂとの間の凹部に位置させられ、位置決めされるようになる。尚、リード線３ａをアダプタ１１の表面側に沿って１８０°折り曲げた際、リード線３ａが存在する位置の反対側の主面（アダプタ裏面）上に凸部１４ｂが存在するよう凸部１４ｂが構成されている。又、リード線３ｂをアダプタ１１の裏面側に沿って１８０°折り曲げた際、リード線３ｂが存在する位置の反対側の主面（アダプタ表面）上に凸部１４ａが存在するよう凸部１４ａが構成されている。従って、リード線３ａをアダプタ１１の裏面側に折り曲げると、そのライン上に凸部１４ｂが存在することから、又、リード線３ｂをアダプタ１１の表面側に折り曲げると、そのライン上に凸部１４ａが存在することから、リード線３ａ，３ｂの折曲方向（アダプタの表側か裏側か）の間違いが防止される。そして、リード線３ａ，３ｂの折曲方向の間違いが無くなるから、アダプタ１１に取り付けたハロゲンランプ本体１をソケットに差し込んだ場合、リード線３ａ，３ｂとソケット側の電気的接続端子とは確実に接続される。すなわち、リード線３ａ，３ｂを逆に折り曲げていると、ソケットに差し込んだ場合でも、リード線３ａ，３ｂとソケット側の電気的接続端子との電気的接続がなされず、フィラメントに電流が流れなくなるものの、このような事態は起きなくなる。１７ａ，１７ｂはアダプタ１１の表・裏面に設けられた開口窓である。特に、アダプタ１１の表面側に設けられた開口窓１７ａは挿入部１２に連通し、かつ、アダプタ１１の裏面側に設けられた開口窓１７ｂは挿入部１２に連通しているように開口窓１７ａ，１７ｂが設けられている。又、図��からも判る通り、アダプタ１１をソケット２１に差し込んだ場合でも、開口窓１７ａ，１７ｂの一部がソケット２１から露出しているよう開口窓１７ａ，１７ｂは形成されている。尚、アダプタ１１の表・裏は対称であるように形成されている。すなわち、図３に示されるアダプタを１８０°回転させても同じ図が認められるものとなる。又、図示していないが、アダプタ１１のハロゲンランプ本体１の挿入側の端面、更にはその近傍の表面に、例えばアルミニウム等の反射膜を設けておくと、ハロゲンランプからの光が反射されるから、熱損傷が少なくなる。
【００２６】
２１は樹脂製のソケットである。このソケット２１は、アダプタ１１が差し込まれる挿入部２２が構成されている。又、図示していないが、アダプタ１１の凸部１４ａ，１４ｂが掛止する凹部が設けられており、凹凸の嵌合構造によってアダプタ１１が脱落し難いものとなっている。又、アダプタ１１の表面に折り返し配設されたリード線３ａ，３ｂに対応して、電気的に接続される接続端子（図示せず）が設けられている。
【００２７】
上記のように構成させた自動車のバック動作時に後方部を照らす為の照明装置は、ハロゲンランプを用いたことから、小型・軽量であるにも拘らず、その照度は非常に高い。従って、夜、車をバックさせる場合でも、後方が明るく照らされるから、バック動作性が良くなる。
【００２８】
そして、ハロゲンランプ本体１を、直接、ソケット２１に接続するのでは無く、ハロゲンランプ本体１をアダプタ１１に取り付けたものをソケット２１に取り付けるようにしているから、ハロゲンランプ本体１の構造が簡単なものとなり、それだけコストが低廉なものになる。
【００２９】
上記特長はアダプタ１１を用いることによって奏されるのであるが、アダプタ１１をガラスで構成したのでは、その特長が奏されない。すなわち、アダプタ１１を樹脂で構成させたことから、簡単に成形でき、上記特長が十分に奏される。
【００３０】
しかしながら、樹脂はガラス（無機ガラス）に比べた耐熱性が劣る。しかも、本発明で用いる光源はハロゲンランプである。従って、通常の白熱電球に比べたならば単位体積当たりの放熱量は非常に大きい。よって、樹脂で構成させたアダプタ１１やソケット２１は熱損傷を受け易い。アダプタ１１は未だしも、ソケット２１は、自動車本体に固定されているから、損傷すると、修理・交換は厄介である。
【００３１】
そこで、上記実施形態においては、放熱性を向上させる為、即ち、ソケット２１側に熱が籠もり、熱損傷が起きる事態が発生しないように、アダプタ１１に開口窓１７ａ，１７ｂを構成した。これによって、ハロゲンランプからの熱が内部に籠り難くなり、即ち、放熱性が高まり、ソケット２１等が熱損傷を受け難く、耐久性が向上する。特に、アダプタ１１がソケット２１に配設された状態におけるアダプタ１１の開口窓１７ａ，１７ｂの一部がソケット２１から露出した位置に在るよう構成させているので、熱がソケット２１の中に籠もり難く、ソケット２１が熱損傷を受け難い。又、ハロゲンランプ本体１の挿入部１２と開口窓１７ａ，１７ｂとが連通構成されているので、放熱効果が一層高まる。
【００３２】
そして、アダプタを上記のように構成させていると、従来タイプの照明装置（ソケット）を装備した既存の自動車に対しても、ハロゲンランプを用いることが出来る。
【００３３】
又、上記実施形態にあっては、アダプタ１１に、ハロゲンランプ本体１のフィラメントに繋がるリード線３ａ，３ｂの挿通孔１３ａ，１３ｂを構成し、ハロゲンランプ本体１からのリード線３ａ，３ｂがリード線挿通孔１３ａ，１３ｂに挿通され、かつ、リード線３ａ，３ｂの一部を折曲したものとした。これによって、ハロゲンランプ本体１がアダプタ１１から脱落しないものとなる。これは、フィラメントからのリード線を上手く工夫することによって達成されたものであり、かつ、特別な部品を要さないので、それだけコストも低廉になる。
【００３４】
又、上記実施形態にあっては、アダプタ１１がソケット２１から脱落しないものとする為、アダプタ１１には凸部１４ａ，１４ｂを設けると共に、ソケット２１には凸部１４ａ，１４ｂが嵌合する凹部を設けた。すなわち、凹凸の嵌合により、アダプタが脱落しなくなるようにした。さて、凸部１４ａ，１４ｂはアダプタ１１の主面に設けられたものである。そして、ハロゲンランプ本体１の脱落防止の為に、アダプタ主面に沿ってリード線３ａ，３ｂが折り曲げられている。このリード線３ａ，３ｂをアダプタ主面に沿って折り曲げた場合、折り曲げた主面（表面または裏面）と反対側の主面（裏面または表面）上であって、かつ、折り曲げたリード線３ａ，３ｂの位置におけるアダプタの主面に対して垂直な仮想面上に凸部１４ａ，１４ｂを設けたから、リード線を本来の主面とは反対側の面に折り曲げた場合、本来、存在しない筈の凸部１４ａ，１４ｂが在るから、リード線３ａ，３ｂの折り曲げ側を間違えたことを認識できる。従って、リード線３ａ，３ｂの折曲作業をスムーズに進めることが出来る。かつ、このことは、リード線３ａ，３ｂとソケット２１側の接続端子とが確実に行われるようになることを意味する。
【図面の簡単な説明】
【００３５】
【図１】本発明になるハロゲンランプ本体の斜視図
【図２】本発明になるハロゲンランプ本体の側面図
【図３】本発明になるアダプタの斜視図
【図４】本発明になるアダプタの断面図
【図５】本発明になるアダプタの側面図
【図６】ハロゲンランプ本体をアダプタに取り付けた状態での斜視図
【図７】ウエッジベースランプ用ソケットの斜視図
【図８】本発明になる照明装置全体の斜視図
【図９】従来の照明装置（ハロゲンランプ）の斜視図
【符号の説明】
【００３６】
１                ハロゲンランプ本体
２                ガラス管
２ｂ              封止部
３ａ，３ｂ        リード線
１１              アダプタ
１２              封止部挿入部
１３ａ，１３ｂ    リード線挿通用孔
１４ａ，１４ｂ    アダプタ脱落防止用凸部
１５ａ，１５ｂ    位置決用凸部
１６ａ，１６ｂ    立設壁
１７ａ，１７ｂ    開口窓
２１              ソケット
２２              アダプタ挿入部
代  理  人  宇  高  克  己
【図１】
2007134157.tif 000003
【図２】
2007134157.tif 000004
【図３】
2007134157.tif 000005
【図４】
2007134157.tif 000006
【図５】
2007134157.tif 000007
【図６】
2007134157.tif 000008
【図７】
2007134157.tif 000009
【図８】
2007134157.tif 000010
【図９】
2007134157.tif 000011